(57)【要約】   【課題】宅配ボックスにおいて簡単な構造で収納効率を向上することができる伝票用のスタンプ装置を提供することを目的とする。  【解決手段】伝票受部２５は扉１３に形成される伝票挿入口１７としての矩形開口部の上辺１７ａと下辺１７ｂに連結する一対の上部材２６と下部材２７で形成される。この一対の上部材２６と下部材２７は互いが平行状態を保ちながら伝票挿入口１７から水平部Ｑ１と下方に円弧状に湾曲する曲面部Ｑ２と垂直部Ｑ３とによって一体的に連続形成される。垂直部Ｑ３の下端部２８は上部材２６と下部材２７を連結する底部２８ａが形成され、水平部Ｑ１の先端に備える垂直取付部２６ｂ、２７ｂの取付孔２６ｃ、２７ｃを介して伝票受部２５は扉１３の内面側１３ｂにビス等の固着具によって固着される。上部材２６の幅Ｋの水平部Ｑ１に中央部にスタンプ２３挿入のための孔部２６ａが設けられる。【選択図】  図３
2008289741.tif 000002
【特許請求の範囲】
【請求項１】
荷物を受入れる荷受室と扉を有する宅配ボックスの荷受け確認用のスタンプ装置であって、
前記スタンプ装置は、スタンプ昇降具に保持されて上下動自在のスタンプと伝票受部とが前記扉の内面側に設けられて成り、
前記伝票受部は、前記扉に形成される矩形開口部の上下辺に連結する一対の上部材と下部材から成り、この上部材と下部材は水平部と上方又は下方に湾曲する曲面部と垂直部とによって互いが平行に形成され、
前記上部材の水平部にスタンプ用の孔部が形成されることを特徴とするスタンプ装置。
【請求項２】
請求項１に記載のスタンプ装置であって、前記伝票受部の曲面部は円弧状に形成されることを特徴とするスタンプ装置。
【発明の詳細な説明】
【技術分野】
【０００１】
本発明は宅配物を荷受けする宅配ボックスに関し、詳しくは、一般家庭等で使用される無人の宅配ボックスにおける伝票用のスタンプ装置の技術に関するものである。
【背景技術】
【０００２】
従来、宅配小荷物を無人で受取り受領印をスタンプできる一般家庭用の宅配ボックスとして、例えば、特許文献１の内容が知られている。
【０００３】
特許文献１の宅配ボックス４は図５に示すように、伝票Ｒを表面パネル５１とカバー５２の隙間に形成された挿入口５３から伝票スペース２内に挿入した後に、スタンプボタン６を押すことにより伝票Ｒにスタンプできる。
【０００４】
より詳しくは、伝票Ｒの表面をカバー５２側にして挿入口５３より伝票スペース２内に挿入する。そして、スタンプボタン６を押すことにより、スタンプボタン６の後端に配設された圧接板３が、ホルダー１に保持されたスタンプＳのスタンプ面Ｓ１に向かって移動して伝票スペース２に配置された伝票Ｒの表面をスタンプ面Ｓ１に押圧することができる。
【０００５】
このスタンプボタン６はスプリング６１を備え、スプリング６１の弾性力を利用してスタンプボタン６を初期位置に復帰させることができる。
【特許文献１】特開平１１−２６６９９９号公報
【発明の開示】
【発明が解決しようとする課題】
【０００６】
ところが、ホルダー１が宅配ボックス４の内部に向かって突出するのでホルダー１の裏面１ａにおける垂直面１ｂと表面パネル５１で囲まれるスペース５５の収納効率が落ちるので荷物の収納量が減少するという問題があった。特に、箱形状の品物を収納する場合にはスペース５５のほぼ全域がデッドスペースとなることがあった。
【０００７】
このため、図６に示すように、宅配ボックス４の扉５６に設けられた伝票Ｒの挿入口５６ａに連続する伝票受部６０を水平にして、ホルダー５７に保持されるスタンプ５８を垂直に作動させる構成がある。これにより、ホルダー５７とスタンプ５８が垂直に配置されるのでデッドスペースは減少する。
【０００８】
しかし、伝票受部６０が水平なので、箱形状の品物の収納に対して扉５６から伝票受部６０の先端部６０ａまでの空間幅Ｎは依然としてデッドスペースであった。
【０００９】
そこで、本発明はかかる従来技術の問題に鑑みなされたものであり、宅配ボックスにおいて簡単な構造で収納効率を向上することができる伝票用のスタンプ装置を提供することを目的とする。
【課題を解決するための手段】
【００１０】
請求項１の発明は、荷物を受入れる荷受室と扉を有する宅配ボックスの荷受け確認用のスタンプ装置であって、前記スタンプ装置は、スタンプ昇降具に保持されて上下動自在のスタンプと伝票受部とが前記扉の内面側に設けられて成り、前記伝票受部は、前記扉に形成される矩形開口部の上下辺に連結する一対の上部材と下部材から成り、この上部材と下部材は水平部と上方又は下方に湾曲する曲面部と垂直部とによって互いが平行に形成され、前記上部材の水平部にスタンプ用の孔部が形成されることを特徴としている。
【００１１】
請求項２の発明は、請求項１に記載のスタンプ装置であって、前記伝票受部の曲面部は円弧状に形成されることを特徴としている。
【発明の効果】
【００１２】
請求項１記載の発明によれば、前記伝票受部は、前記扉に形成される矩形開口部の上下辺に連結する一対の上部材と下部材から成り、この上部材と下部材は水平部と上方又は下方に湾曲する曲面部と垂直部とによって互いが平行に形成される。そして、前記上部材の水平部にスタンプ用の孔部が形成される。そして、伝票が前記伝票受部の一対の上部材と下部材に挟まれて挿入されると、スタンプ作業に関係のない略水平部以外の伝票領域を扉に沿って上方又は下方に導くことができる。
【００１３】
このため、略垂直部の長さに相当する長さだけ前記伝票受部の領域を扉側に移動することができるので、箱形状の品物が主流である宅配ボックスの収納効率を確実に増加することができる。
【００１４】
請求項２記載の発明によれば、前記伝票受部の曲面部は円弧状なので、伝票受部がさらに簡単な形状となるので製作コストが下がるとともに請求項１記載の発明の効果と同様の効果が得られる。
【発明を実施するための最良の形態】
【００１５】
＜本発明の第一の実施形態＞
以下に、本発明の第一の実施形態を図１〜図３に基づいて説明する。
【００１６】
＜スタンプ装置の構成＞  
図1、図２、図３に示すように、本発明の宅配ボックス１１は荷物を受入れる荷受室１２と扉１３を有し、扉１３の外面側１３ａに扉開閉ボタン１４と開錠鍵挿入口１５と、荷受け確認のため伝票にスタンプするためのスタンプ始動ボタン１６と伝票挿入口１７とが設けられる。
【００１７】
扉１３の内面側１３ｂには、扉１３を施錠する施錠手段１８とスタンプ装置２０が設けられ、スタンプ装置２０は上下動自在のスタンプ昇降具２１とこのスタンプ昇降具２１に連結するスタンプホルダー２２とスタンプホルダー２２に保持されるスタンプ２３と、伝票挿入口１７に連結して固着される伝票受部２５とで構成される。
【００１８】
ここで、スタンプ昇降具２１と、スタンプ昇降具２１を一度だけ下降させる詳細説明しないスタンプ連動手段３０とを、それぞれ上下にスライド自在に保持するための保持カバー３１が設けられ、保持カバー３１の上端部に受部３１ａを備える。
【００１９】
また、スタンプ始動ボタン１６に連動するスタンプシフトレバー３５と扉開閉ボタン１４に連動するプッシュレバー４０が設けられる。
【００２０】
伝票受部２５は、扉１３に形成される伝票挿入口１７としての矩形開口部の上辺１７ａと下辺１７ｂに連結する一対の上部材２６と下部材２７で形成される。この一対の上部材２６と下部材２７は互いが平行状態を保ちながら伝票挿入口１７から延設する水平部Ｑ１と、下方に円弧状に湾曲する曲面部Ｑ２と、垂直部Ｑ３とによって一体的に連続形成される。
【００２１】
垂直部Ｑ３の下端部２８は上部材２６と下部材２７を連結する底部２８ａで塞がれる。水平部Ｑ１の先端に備える垂直取付部２６ｂ、２７ｂの取付孔２６ｃ、２７ｃを介して伝票受部２５は扉１３の内面側１３ｂにビス等の固着具によって固着して連結される。上部材２６の水平部Ｑ１の中央部にスタンプ２３を挿入するための孔部２６ａが設けられる。
【００２２】
ここで、水平部Ｑ１の奥行きＫ１、曲面部Ｑ２の曲線長Ｋ２、垂直部Ｑ３の高さＫ３とすると、伝票Ｔを長さＫ４＝Ｋ１＋Ｋ２＋Ｋ３だけ伝票挿入口１７から挿入して、伝票Ｔの先端を底部２８ａに当接した状態で伝票Ｔのスタンプ位置を孔部２６ａの中心に自動的に合わせることができる。伝票Ｔの先端からスタンプ位置までの長さＫ５＝（略Ｋ１の１／２）＋Ｋ２＋Ｋ３である。
【００２３】
伝票受部２５は薄板鋼板や樹脂材等を用いて形成される。
【００２４】
＜スタンプ動作の説明＞
スタンプ昇降具２１は略帯状で上端部両側に係止部２１ａが設けられ、スタンプ昇降具２１を上方且つ荷受室側に付勢する第一の弾性体としての二組のバネ２４を備える。このため、スタンプ昇降具２１はスタンプを実施しない状態ではバネ２４によって上昇して係止部２１ａが保持カバー３１の受部３１ａに係止された状態を保っている。
【００２５】
スタンプ動作を開始する際には、スタンプ昇降具２１の係止部２１ａが詳細説明しない方法で受部３１ａから押出されて離脱した状態となるので、バネ２４の力に打ち勝ってスタンプ昇降具２１を下降することができる。
【００２６】
スタンプホルダー２２は扉１３側に一対のブラケット２２ａを備えている。スタンプシフトレバー３５はその上端部３５ａを中心にしてスイングする構造で、上端部３５ａには扉１３側に向けて押込レバー３５ｂを備えている。
【００２７】
このため、スタンプ始動ボタン１６を押込んでスタンプシフトレバー３５の下端部３５ｃが押されると、上端部３５ａが矢印Ｇ１で示すように回転して押込レバー３５ｂが一方のブラケット２２ａを矢印Ｇ２で示すように押し下げることができる。そして、スタンプホルダー２２が下降してスタンプ２３が上部材２６の孔部２６ａに挿入されて伝票Ｔに受取り確認用のスタンプが実施される。
【００２８】
なお、スタンプ始動ボタン１６は、ボタンを押した後に自動復帰させるためのコイルスプリングＰを内蔵している。図１において、スタンプ始動ボタン１６は内蔵されたコイルスプリングＰの状態を示すために透視図で描かれており、このスタンプ始動ボタン１６を押込むとコイルスプリングＰが宿小してスタンプ動作が開始し、押込みを止めるとコイルスプリングＰが復帰してスタンプ動作が終了する。
【００２９】
同様に、扉１３の施錠開錠は、扉開閉ボタン１４に連動するプッシュレバー４０によって回転レバー４１を回転することで施錠手段１８のラッチ用バー４２が回転し、ラッチ用バー４２に連動するフック４３によって扉１３の施錠開錠が実施できる。
【００３０】
＜宅配ボックスの作用＞
水平部Ｑ１の扉１３から垂直部Ｑ３までの突出長さＫ６は伝票Ｔの伝票受部２５への挿入するに必要な長さＫ４＝Ｋ１＋Ｋ２＋Ｋ３に対して例えば略５０％短くすることができる。そして、スタンプ装置２０そのものも扉１３にできるだけ近接して設けることができる。
【００３１】
このため、伝票受部全域が水平面状の場合に比べて、伝票受部２５の略垂直部の長さＫ３に相当する長さだけ荷受室の水平荷受領域が扉側に移動するので、箱形状が主流である宅配ボックスの荷受室の実質的な容量を増加することができる。
【００３２】
伝票受部２５は下方に円弧状に湾曲する曲面部Ｑ２と垂直部Ｑ３を有するので伝票受部２５内に伝票Ｔの自重によって確実且つ容易に挿入することができるとともに挿入された伝票Ｔは手を離してもその自重によって安定した状態で静止しているのでスタンプ位置に確実に安定してスタンプできる。
【００３３】
＜本発明の第二の実施形態＞
本発明の第二の実施形態のスタンプ装置の伝票受部２５ａを図４を用いて説明するが、図３に示す伝票受部２５の構成と同様の構成部分については図面に同符号を付して重複した説明を省略し、図１、図２、図３に示す伝票受部２５以外の構成とは同じであるのでその説明および図面を省略する。
【００３４】
伝票受部２５ａの一対の上部材２６と下部材２７は互いが平行状態を保ちながら、伝票挿入口１７からの水平部Ｑ１と上方に円弧状に湾曲する曲面部Ｑ２と垂直部Ｑ３とによって一体的に連続形成される。垂直部Ｑ３の上端部２９は上部材２６と下部材２７を連結する頂部２９ａが形成される。
【００３５】
上方に円弧状に湾曲する曲面部Ｑ２を有するので伝票受部２５ａ内部に雨水が浸水するのを防ぐことができる。
【００３６】
以上、本発明の実施例を図面に基づいて説明したが、具体的な構成はこの実施例に限られるものではなく本発明の要旨を逸脱しない範囲の設計変更等があっても本発明に含まれる。
【００３７】
例えば、荷受け確認手段はスタンプ印２０ａの代わりに印鑑を使用してもよい。また、穿孔手段を用いる荷受け確認手段でも構わない。
【００３８】
伝票受部２５の曲面部Ｑ２は円弧でない湾曲面に形成してもよい。
【図面の簡単な説明】
【００３９】
【図１】本発明の第一の実施形態における、宅配ボックス１１の斜視図である。
【図２】本発明の第一の実施形態における、図１におけるＡ−Ａ透視斜視図である。
【図３】本発明の第一の実施形態における、スタンプ装置２０の斜視図である。
【図４】本発明の第二の実施形態における、伝票受部２５ａの斜視図である。
【図５】従来例における、宅配ボックス４のスタンプボタン６を後方に押すことにより伝票Ｒにスタンプする状態を示す断面図である。
【図６】他の従来例における、宅配ボックス４の扉５６に設けられた伝票Ｒの挿入口５６ａに連続する伝票受部６０を水平状態に形成し、スタンプ５８を垂直に作動させる状態を示す断面図である。
【符号の説明】
【００４０】
１３  扉
１３ｂ  内面側
１７  伝票挿入口
１７ａ  上辺
１７ｂ  下辺
２３  スタンプ
２５  伝票受部
２６  上部材
２６ａ  孔部
２６ｂ  垂直取付部
２６ｃ  取付孔
２７  下部材
２７ｂ  垂直取付部
２７ｃ  取付孔
２８  下端部
２８ａ  底部
Ｑ１  水平部
Ｑ２  曲面部
Ｑ３  垂直部
【図１】
2008289741.tif 000003
【図２】
2008289741.tif 000004
【図３】
2008289741.tif 000005
【図４】
2008289741.tif 000006
【図５】
2008289741.tif 000007
【図６】
2008289741.tif 000008